(57)【特許請求の範囲】
【請求項１】
低電力ノードにおいてアクティブ化パラメータを受信することと、
前記アクティブ化パラメータに基づいてアクティブユーザ機器（ＵＥ）の近接を検出することと、前記アクティブ化パラメータが、前記低電力ノードとは異なるノードからトリガされる、
前記アクティブＵＥを検出することの後にアクティブ化シーケンスを開始することと、
前記アクティブＵＥが検出されたときにアクティブ化要求を送信することと、
前記アクティブ化要求に応答してアクティブ化許可を受信することと、前記アクティブ化許可が、前記アクティブ化シーケンスを前記開始することより前に受信される、
を備える、ワイヤレス通信の方法。
【請求項２】
前記アクティブ化パラメータが、物理ランダムアクセスチャネル（ＰＲＡＣＨ）シグネチャシーケンス空間、時間リソース、周波数リソース、またはそれらの組合せを示す、請求項１に記載の方法。
【請求項３】
前記アクティブ化パラメータが、サービングセルＰＲＡＣＨ構成、ネイバーセルＰＲＡＣＨ構成、またはそれらの組合せに基づく、請求項２に記載の方法。
【請求項４】
ＰＲＡＣＨシグネチャシーケンスがＰＲＡＣＨプロシージャをトリガしない、請求項２に記載の方法。
【請求項５】
前記アクティブＵＥの前記近接を検出することが、
物理ランダムアクセスチャネル（ＰＲＡＣＨ）送信、または
逆方向ハンドオーバプロシージャの動的または周期的トリガリングの後に行われる、請求項１に記載の方法。
【請求項６】
前記アクティブＵＥの前記近接を検出することが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に基づく、請求項５に記載の方法。
【請求項７】
メモリと、
前記メモリに結合された少なくとも１つのプロセッサとを備える、ワイヤレス通信のための装置であって、前記少なくとも１つのプロセッサが、
低電力ノードにおいてアクティブ化パラメータを受信することと、
前記アクティブ化パラメータに基づいてアクティブユーザ機器（ＵＥ）の近接を検出することと、前記アクティブ化パラメータが、前記低電力ノードとは異なるノードからトリガされる、
前記アクティブＵＥを検出することの後にアクティブ化シーケンスを開始することと、
前記アクティブＵＥが検出されたときにアクティブ化要求を送信することと、
前記アクティブ化要求に応答してアクティブ化許可を受信することと、前記アクティブ化許可が、前記アクティブ化シーケンスを前記開始することより前に受信される、
を行うように構成された、装置。
【請求項８】
前記アクティブ化パラメータが、物理ランダムアクセスチャネル（ＰＲＡＣＨ）シグネチャシーケンス空間、時間リソース、周波数リソース、またはそれらの組合せを示す、請求項７に記載の装置。
【請求項９】
前記アクティブ化パラメータが、サービングセルＰＲＡＣＨ構成、ネイバーセルＰＲＡＣＨ構成、またはそれらの組合せに基づく、請求項８に記載の装置。
【請求項１０】
ＰＲＡＣＨシグネチャシーケンスがＰＲＡＣＨプロシージャをトリガしない、請求項８に記載の装置。
【請求項１１】
前記少なくとも１つのプロセッサが、
物理ランダムアクセスチャネル（ＰＲＡＣＨ）送信、または
逆方向ハンドオーバプロシージャの動的または周期的トリガリングの後に前記アクティブＵＥの前記近接を検出するようにさらに構成された、請求項７に記載の装置。
【請求項１２】
前記少なくとも１つのプロセッサが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に基づいて、前記アクティブＵＥの前記近接を検出するようにさらに構成された、請求項１１に記載の装置。
【請求項１３】
低電力ノードにおいてアクティブ化パラメータを受信するための手段と、
前記アクティブ化パラメータに基づいてアクティブユーザ機器（ＵＥ）の近接を検出するための手段と、前記アクティブ化パラメータが、前記低電力ノードとは異なるノードからトリガされる、
前記アクティブＵＥを検出することの後にアクティブ化シーケンスを開始するための手段と、
前記アクティブＵＥが検出されたときにアクティブ化要求を送信するための手段と、
前記アクティブ化要求に応答してアクティブ化許可を受信するための手段と、前記アクティブ化許可が、前記アクティブ化シーケンスを前記開始することより前に受信される、
を備える、ワイヤレス通信のための装置。
【請求項１４】
前記アクティブ化パラメータが、物理ランダムアクセスチャネル（ＰＲＡＣＨ）シグネチャシーケンス空間、時間リソース、周波数リソース、またはそれらの組合せを示す、請求項１３に記載の装置。
【請求項１５】
前記アクティブ化パラメータが、サービングセルＰＲＡＣＨ構成、ネイバーセルＰＲＡＣＨ構成、またはそれらの組合せに基づく、請求項１４に記載の装置。
【請求項１６】
ＰＲＡＣＨシグネチャシーケンスがＰＲＡＣＨプロシージャをトリガしない、請求項１４に記載の装置。
【請求項１７】
前記アクティブＵＥの前記近接を検出することが、
物理ランダムアクセスチャネル（ＰＲＡＣＨ）送信、または
逆方向ハンドオーバプロシージャの動的または周期的トリガリングの後に行われる、請求項１３に記載の装置。
【請求項１８】
前記アクティブＵＥの前記近接を検出することが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に基づく、請求項１７に記載の装置。
【請求項１９】
ワイヤレス通信のためのコンピュータプログラムであって、
低電力ノードにおいてアクティブ化パラメータを受信することと、
前記アクティブ化パラメータに基づいてアクティブユーザ機器（ＵＥ）の近接を検出することと、前記アクティブ化パラメータが、前記低電力ノードとは異なるノードからトリガされる、
前記アクティブＵＥを検出することの後にアクティブ化シーケンスを開始することと、
前記アクティブＵＥが検出されたときにアクティブ化要求を送信することと、
前記アクティブ化要求に応答してアクティブ化許可を受信することと、前記アクティブ化許可が、前記アクティブ化シーケンスを前記開始することより前に受信される、
をコンピュータに実行させるためのコンピュータプログラム。
【請求項２０】
前記アクティブ化パラメータが、物理ランダムアクセスチャネル（ＰＲＡＣＨ）シグネチャシーケンス空間、時間リソース、周波数リソース、またはそれらの組合せを示す、請求項１９に記載のコンピュータプログラム。
【発明の詳細な説明】
【技術分野】
【０００１】
関連出願の相互参照
[0001]本出願は、その開示全体が参照により本明細書に明確に組み込まれる、２０１２年４月１８に出願されたRELAY ACTIVATION PROCEDUREと題する米国仮特許出願第６１／６３５，２６８号の米国特許法第１１９条（ｅ）項に基づく利益を主張する。
【０００２】
[0001]本出願は、その開示全体が参照により本明細書に明確に組み込まれる、Ｄａｍｎｊａｎｏｖｉｃらの名義で本明細書と同じ日付に出願された、SMALL CELL ACTIVATION PROCEDURE（Ｑｕａｌｃｏｍｍ整理番号１２２３０８）と題する米国特許出願に関する。
【０００３】
[0002]本開示の態様は、一般にワイヤレス通信システムに関し、より詳細には、小型セルアクティビティ状態を制御することに関する。
【背景技術】
【０００４】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００５】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションシステム（ＵＭＴＳ：Universal Mobile Telecommunication System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００６】
[0005]本開示の一態様によれば、ワイヤレス通信の方法が提示される。本方法は、低電力ノードにおいてアクティブ化パラメータを受信することを含む。本方法はまた、アクティブ化パラメータに少なくとも部分的に基づいてアクティブユーザ機器（ＵＥ）の近接を検出することを含む。本方法は、アクティブＵＥを検出することの後にアクティブ化シーケンスを開始することをさらに含む。
【０００７】
[0006]本開示の別の態様では、非一時的コンピュータ可読媒体を有するワイヤレスネットワークにおけるワイヤレス通信のためのコンピュータプログラム製品が開示される。本コンピュータ可読媒体は、（１つまたは複数の）プロセッサによって実行されたとき、低電力ノードにおいてアクティブ化パラメータを受信する動作を（１つまたは複数の）プロセッサに実行させるプログラムコードを記録している。プログラムコードはまた、（１つまたは複数の）プロセッサに、アクティブ化パラメータに少なくとも部分的に基づいてアクティブＵＥの近接を検出することを行わせる。プログラムコードはまた、（１つまたは複数の）プロセッサに、アクティブＵＥを検出することの後にアクティブ化シーケンスを開始することを行わせる。
【０００８】
[0007]本開示の別の態様は、メモリと、メモリに結合された少なくとも１つのプロセッサとを有するワイヤレス通信のための装置を開示する。（１つまたは複数の）プロセッサは、低電力ノードにおいてアクティブ化パラメータを受信するように構成される。（１つまたは複数の）プロセッサはまた、アクティブ化パラメータに少なくとも部分的に基づいてアクティブＵＥの近接を検出するように構成される。（１つまたは複数の）プロセッサはさらに、アクティブＵＥを検出することの後にアクティブ化シーケンスを開始するように構成される。
【０００９】
[0008]本開示のさらに別の態様によれば、装置が提示される。本装置は、低電力ノードにおいてアクティブ化パラメータを受信するための手段を含む。本装置はまた、アクティブ化パラメータに少なくとも部分的に基づいてアクティブＵＥの近接を検出するための手段を含む。本装置は、アクティブＵＥを検出することの後にアクティブ化シーケンスを開始するための手段をさらに含む。
【００１０】
[0009]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１１】
[0010]本開示の特徴、特性、および利点は、全体を通じて同様の参照符号が同様のものを指す図面とともに、以下に記載する発明を実施するための形態を読めばより明らかになろう。
【図面の簡単な説明】
【００１２】
【図１】[0011]ネットワークアーキテクチャの一例を示す図。
【図２】[0012]アクセスネットワークの一例を示す図。
【図３】[0013]ＬＴＥにおけるダウンリンクフレーム構造の一例を示す図。
【図４】[0014]ＬＴＥにおけるアップリンクフレーム構造の一例を示す図。
【図５】[0015]ユーザプレーンおよび制御プレーンのための無線プロトコルアーキテクチャの一例を示す図。
【図６】[0016]アクセスネットワーク中の発展型ノードＢおよびユーザ機器の一例を示す図。
【図７】[0017]本開示の一態様による、例示的な小型セルアクティブ化プロセスを概念的に示すコールフロー図。
【図８】[0018]本開示の一態様による、小型セルをアクティブ化するための方法を示すブロック図。
【図９】[0019]例示的な装置中の異なるモジュール／手段／構成要素を示すブロック図。
【発明を実施するための形態】
【００１３】
[0020]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。さらに、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸがＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈されるべきである。
【００１４】
[0021]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素をハードウェアとして実装するか、ソフトウェアとして実装するかは、特定の適用例および全体的なシステムに課された設計制約に依存する。
【００１５】
[0022]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。明快のために、本技法のいくつかの態様について、ＬＴＥまたはＬＴＥアドバンスト（ＬＴＥ−Ａ）（一緒に「ＬＴＥ」と呼ばれる）に関して説明し、説明の大部分ではそのようなＬＴＥ用語を使用する。
【００１６】
[0023]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１７】
[0024]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、タブレット、ネットブック、スマートブック、ｕｌｔｒａｂｏｏｋ、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0025]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳ（パケット交換：packet switched）ストリーミングサービス（ＰＳＳ：PS Streaming Service）とを含み得る。
【００１９】
[0026]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２０】
[0027]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２１】
[0028]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２２】
[0029]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0030]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２４】
[0031]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、Ｒ３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0032]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００２６】
[0033]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００２７】
[0034]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２８】
[0035]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００２９】
[0036]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３０】
[0037]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３１】
[0038]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３２】
[0039]図６は、アクセスネットワーク中でＵＥ６５０と通信しているｅノードＢ６１０のブロック図である。ダウンリンクでは、コアネットワークからの上位レイヤパケットがコントローラ／プロセッサ６７５に与えられる。コントローラ／プロセッサ６７５は、たとえば、Ｌ２レイヤの機能を実装する。ダウンリンクでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３３】
[0040]ＴＸプロセッサ６１６は、たとえば、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされ変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機／変調器６１８ＴＸを介して異なるアンテナ６２０に与えられる。各送信機６１８ＴＸは、送信のためにそれぞれの空間ストリームでＲＦキャリアを変調する。
【００３４】
[0041]ＵＥ６５０において、各受信機／復調器６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００３５】
[0042]コントローラ／プロセッサ６５９は、たとえば、Ｌ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３６】
[0043]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００３７】
[0044]ｅノードＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機／変調器６５４ＴＸを介して異なるアンテナ６５２に与えられる。各送信機６５４ＴＸは、送信のためにそれぞれの空間ストリームでＲＦキャリアを変調する。
【００３８】
[0045]アップリンク送信は、ＵＥ６５０における受信機機能に関して説明した方法と同様の方法でｅノードＢ６１０において処理される。各受信機／復調器６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、たとえば、Ｌ１レイヤを実装し得る。
【００３９】
[0046]コントローラ／プロセッサ６７５は、たとえば、Ｌ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。コントローラ／プロセッサ６７５およびコントローラ／プロセッサ６５９は、それぞれｅノードＢ６１０における動作およびＵＥ６５０における動作を指示し得る。ｅノードＢ６１０におけるコントローラ／プロセッサ６７５または他のプロセッサおよびモジュールは、本明細書で説明する技法のための様々なプロセスを実行するか、またはその実行を指示し得る。ＵＥ６５０におけるコントローラ／プロセッサ６５９または他のプロセッサおよびモジュールはまた、本明細書で説明する技法のための様々なプロセスを実行するか、またはその実行を指示し得る。メモリ６７６およびメモリ６６０は、それぞれｅノードＢ６１０およびＵＥ６５０のためのデータおよびプログラムコードを記憶し得る。
【００４０】
[0047]図６の説明は、小型セルが関係するときのｅノードＢ６１０およびＵＥ６５０に関するものであるが、装置６１０または６５０のいずれかが小型セルであり得る。たとえば、ＵＥと小型セルとの間の通信が考慮される場合、小型セルは装置６１０に対応し得る。たとえば、小型セルとｅノードＢとの間の通信が考慮される場合、小型セルは装置６５０に対応し得る。小型セルは、リレーまたは中継局、ｅノードＢ、あるいはＵＥを備え得る。小型セルは、ワイヤードバックホールリンクまたはワイヤレスバックホールリンクのいずれかをもつ低電力ノードであり得る。
【００４１】
[0048]本開示の態様は、アクティブＵＥの近接に基づいて小型セルをアクティブ化することを対象とする。詳細には、小型セルは、アクティブＵＥからの既存の物理アップリンク（ＵＬ）チャネル上の送信に基づいてアクティブ化され得る。物理アップリンクチャネル送信は、物理ランダムアクセスチャネル（ＰＲＡＣＨ）シグネチャシーケンスなど、ランダムアクセスチャネル送信、またはサウンディング基準信号（ＳＲＳ：sounding reference signal）など、基準信号を含み得る。小型セルはリレーまたは低電力ノードと呼ばれることがある。さらに、小型セルはワイヤードバックホールリンクまたはワイヤレスバックホールリンクのいずれかを有し得る。
【００４２】
[0049]図７に、本開示の一態様による、小型セルアクティブ化プロシージャのための例示的なコールフロー図を示す。図７に示されているように、ドナーｅノードＢ７１０は、無線リソース管理（ＲＲＭ：radio resource management）サーバ７０５を含むか、またはそれに結合され得る。時間７４０において、ドナーｅノードＢ７１０はアクティブ化パラメータで小型セル７２０を構成する。たとえば、小型セル７２０は、ＵＥ７３０をどこで探索するかを通知され得る。アクティブ化パラメータは、物理ランダムアクセスチャネル（ＰＲＡＣＨ）シグネチャシーケンス空間、時間／周波数リソース、アップリンク送信信号パラメータなどを示し得る。小型セル７２０は、アクティブ化パラメータを使用してＵＥ７３０の近接を判断し得る。
【００４３】
[0050]さらに、時間７５０において、ドナーｅノードＢ７１０は、ＵＥ７３０をアップリンクチャネル上で送信するようにトリガする。一構成では、ドナーｅノードＢ７１０は、ＵＥ７３０からのアップリンク送信をトリガするために、時間７５０における物理ダウンリンク制御チャネル（ＰＤＣＣＨ：physical downlink control channel）命令など、制御チャネル命令を送信する。別の構成では、アップリンク送信は半静的に構成され得る。時間７５０におけるＵＥ７３０のトリガリングは随意であり、したがって、それはいくつかの構成では行われないようになる。
【００４４】
[0051]アップリンクトリガ（たとえば、制御チャネル命令）を受信したことに応答して、時間７６０において、ＵＥ７３０は、ランダムアクセスチャネル送信など、アップリンク送信を送信する。アップリンク送信は、ランダムアクセスチャネルシグネチャシーケンスなど、シグネチャシーケンス、またはサウンディング基準信号（ＳＲＳ）など、基準信号を含む。上述のように、アップリンク送信は、トリガされることなしにも行われ得る。
【００４５】
[0052]時間７７０において、小型セル７２０は、ＵＥ７３０からのアップリンク送信を検出する。小型セル７２０は、検出されたアップリンク送信に基づいてネットワークアクティブ化または自律アクティブ化を開始し得る。詳細には、一構成では、アップリンク送信が、アクティブ化パラメータ中で与えられたしきい値を満たす場合、小型セル７２０はネットワークアクティブ化または自律アクティブ化を開始する。
【００４６】
[0053]一構成では、ネットワークアクティブ化が小型セル７２０のために指定されているとき、時間７８０において、小型セル７２０はアクティブ化要求をドナーｅノードＢ７１０に送信する。アクティブ化要求を受信したことに応答して、時間７９０において、ドナーｅノードＢ７１０はアクティブ化許可を送信し、それにより、時間７９５において小型セル７２０が起動する。別の構成では、自律アクティブ化が指定されているとき、コールフローは時間７７０から直接時間７９５に進む。
【００４７】
[0054]前に説明したように、本開示の一態様によれば、ドナーｅノードＢ７１０は、アクティブ化パラメータで小型セル７２０を構成する。アクティブ化パラメータは、小型セル７２０がＵＥ７３０の近接を検出することを可能にする。さらに、アクティブ化パラメータは、ランダムアクセスチャネルシグネチャシーケンス空間、時間／周波数リソース、サウンディング基準信号などのアップリンクサウンディング送信信号パラメータなどを含み得る。ランダムアクセスチャネルパラメータについて、小型セルは、サービングセルのランダムアクセスチャネル構成および／または近隣セルのランダムアクセスチャネル構成に基づいて構成され得る。
【００４８】
[0055]一構成では、アクティブ化パラメータはしきい値をも含む。たとえば、しきい値は信号強度しきい値を含み得る。この例では、小型セルは、信号強度が信号強度しきい値よりも大きいかまたはそれに等しいとき、小型セルをアクティブ化することを保証する距離内にＵＥがあると考えられるかどうかを判断し得る。代替的にまたは追加として、アクティブ化パラメータは干渉しきい値を含む。
【００４９】
[0056]図７に示されているように、ドナーｅノードＢは、シグネチャシーケンス、時間リソース、および／または周波数リソースの予約済みセットを使用して、アップリンク上で送信するようにＵＥを動的にトリガし得る。トリガリングは、データ負荷または無線状態など、ドナーｅノードＢによって観測された基準に基づき得る。すなわち、たとえば、ドナーｅノードＢは、ＵＥのためのアップリンクトリガを高いダウンリンクデータ負荷で送信し得る。代替的に、ドナーｅノードＢは、ネットワークセットアップ中にアップリンク送信のための周期的トリガまたはイベントベースのトリガを半静的に構成し得る。
【００５０】
[0057]一構成では、小型セルは、すべての可能な構成に基づいて、ランダムアクセスチャネル信号など、特定のアップリンク送信を探索する。さらに、可能な構成の数は制限され得る。たとえば、一構成によれば、小型セルは、ダウンリンク制御チャネル命令など、アップリンクトリガを介してアクティブ化された専用プリアンブルを探索するように制限される。小型セルは、シグネチャシーケンスの予約済みセットを探索するので、小型セルは、ランダムアクセスチャネル送信など、ＵＥの初期アクセス段階中に送信されるアップリンク送信に応答してアクティブにならない。
【００５１】
[0058]図７にさらに示されているように、一構成によれば、ＵＥは、ランダムアクセスチャネルシグネチャシーケンスまたは別の信号など、アップリンクメッセージを送信する。ランダムアクセスチャネルシグネチャシーケンスの一般的なサイクリックプレフィックスは大きいので、ランダムアクセスチャネルシグネチャシーケンスは、タイミング不確実性を処理するために使用される。アップリンク送信は、ドナーｅノードＢへのアップリンクデータ送信のために使用されるものと同じキャリア周波数（たとえば、２ＧＨｚ）上または小型セルへのアクセスリンクのキャリア周波数（たとえば、３．６ＧＨｚ）上であり得る。さらに、ＵＥは、無線状態、データローディング、または電力ヘッドルーム（たとえば、送信電力）など、ＵＥからの追加情報を搬送するために、シグネチャシーケンスのプールからランダムアクセスチャネルシグネチャシーケンスを選択するように構成され得る。一構成によれば、アップリンク送信は、全電力レベルまたは固定電力レベルで送信される。
【００５２】
[0059]別の構成によれば、ＵＥは、ランダムアクセスチャネルシグネチャシーケンスを送信するだけであり、ランダムアクセスプロシージャを続けない。すなわち、ＵＥは、ドナーｅノードＢからのランダムアクセス応答を監視しない。これは、アクティブ化パラメータの送信が周期的であるように（たとえば、周期的なランダムアクセスチャネルベースのサウンディング）、ダウンリンク制御チャネル命令などのアップリンクトリガを用いて、またはアップリンクトリガなしに達成され得る。別の構成によれば、ドナーｅノードＢは、ＵＥからランダムアクセスチャネル送信を受信したことに応答して、典型的なランダムアクセスチャネルプロシージャを続けない。
【００５３】
[0060]前に説明したように、小型セルは、アップリンク送信を介してＵＥによって送信されたシグネチャシーケンスを検出し得る。一構成では、小型セルがアクティブ化パラメータの基準を満たす十分に強い信号を検出した場合、小型セルは自律的にアクティブになり、電力ランプアッププロシージャを開始する。代替的に、信号強度しきい値よりも大きいかまたはそれに等しい信号を検出すると、小型セルは、アクティブ化要求をネットワーク（たとえば、ドナーｅノードＢまたは無線リソース管理サーバ）に送信し得る。
【００５４】
[0061]一構成によれば、アクティブ化要求は、ランダムアクセスチャネルシグネチャ測定報告など、報告を含む。詳細には、報告は、アップリンク送信の信号強度、信号対干渉雑音比（ＳＩＮＲ）など、他の測定値、および／または時間および周波数リソースを含み得る。他の測定値は、シグネチャシーケンスを送信した特定のＵＥを判断する際にドナーｅノードＢを支援し得る。
【００５５】
[0062]ドナーｅノードＢは、小型セルからアクティブ化要求を受信すると、アクティブ化許可を送信し得る。詳細には、無線リソース管理サーバは、同じＵＥを検出した小型セルのグループを判断し得る。複数の小型セルは一般に、同じＵＥのためにアクティブ化されず、したがって、無線リソース管理サーバは、アクティブ化許可を調整するために、アクティブ化要求を近隣ドナーｅノードＢに関連する他の無線リソース管理サーバに送信し得る。代替的に、別の構成によれば、１つの無線リソース管理サーバが複数のドナーｅノードＢに関連し得る。したがって、無線リソース管理サーバは他の無線リソース管理サーバと協調しない。アクティブ化許可を送信する際に、ネットワークは、アクティブ化される小型セルの数を改善または最適化し得る。小型セルは、アクティブ化許可を受信した後にアクティブになり、電力ランプアッププロシージャを開始し得る。
【００５６】
[0063]別の構成によれば、アクティブ化プロシージャは、ＵＥがランダムアクセスチャネルを使用して送信し得るように、トンネリングされた情報（たとえば共通または専用ランダムアクセスチャネル）を用いて現在のハンドオーバプロシージャを利用する。すなわち、各ノードは、ノードがｅノードＢであるか、または小型セル（たとえば、ＵｅＮＢ）であるかにかかわらず、ノードがＵＥからのランダムアクセスチャネル送信を検出するまで休止状態のままであり得る。ノードは、ＵＥからのランダムアクセスチャネル送信を検出した後に、アクセスリンクにおいて休止状態からアクティブ状態に遷移し得る。この構成は、アップリンクトリガリング（たとえば、ダウンリンク制御チャネル命令）の代替であり得る。
【００５７】
[0064]図８に、小型セルなど、低電力ノードをアクティブ化するための方法８００を示す。ブロック８０２において、低電力ノードはアクティブ化パラメータを受信する。さらに、ブロック８０４において、低電力ノードは、アクティブ化パラメータに少なくとも部分的に基づいてアクティブＵＥの近接を検出する。一構成では、アクティブ化パラメータは、ドナーｅノードＢなど、低電力ノードとは異なるノードからトリガされる。さらに、ブロック８０６において、アクティブＵＥが検出された後に、低電力ノードはアクティブ化シーケンスを開始する。
【００５８】
[0065]一構成では、小型セル（たとえば、構成に応じて、ｅノードＢ６１０またはＵＥ６５０）が、受信するための手段を含むワイヤレス通信のために構成される。一構成では、受信手段は、受信手段によって具陳された機能を実行するように構成された、コントローラ／プロセッサ６７５、メモリ６７６、受信プロセッサ６７０、復調器６１８、および／またはアンテナ６２０を含み得る。別の構成では、受信手段は、受信手段によって具陳された機能を実行するように構成された、コントローラ／プロセッサ６５９、メモリ６６０、受信プロセッサ６５６、復調器６５４、および／またはアンテナ６５２を含み得る。
【００５９】
[0066]小型セルはまた、検出するための手段を含むように構成される。一構成では、検出手段は、検出手段によって具陳された機能を実行するように構成された、コントローラ／プロセッサ６７５、メモリ６７６、受信プロセッサ６７０、復調器６１８、および／またはアンテナ６２０を含み得る。別の構成では、検出手段は、検出手段によって具陳された機能を実行するように構成された、コントローラ／プロセッサ６５９、メモリ６６０、受信プロセッサ６５６、復調器６５４、および／またはアンテナ６５２を含み得る。
【００６０】
[0067]小型セルはまた、アクティブ化するための手段を含むように構成される。一構成では、アクティブ化手段は、アクティブ化手段によって具陳された機能を実行するように構成された受信プロセッサ６７０、送信プロセッサ６１６、復調器６１８、および／またはコントローラ／プロセッサ６７５を含み得る。別の構成では、アクティブ化手段は、検出手段によって具陳された機能を実行するように構成されたコントローラ／プロセッサ６５９、メモリ６６０、および／または受信プロセッサ６５６を含み得る。
【００６１】
[0068]別の構成では、上述の手段は、上述の手段によって具陳された機能を実行するように構成された任意のモジュールまたは任意の装置であり得る。
【００６２】
[0069]図９は、処理システム９１４を採用する装置９００のための実装形態（たとえば、ハードウェア実装形態）の一例を示す図である。処理システム９１４は、バス９２４によって概略的に表されるバスアーキテクチャを用いて実装され得る。バス９２４は、処理システム９１４の特定の適用例および全体的な設計制約に応じて、任意の数の相互接続バスおよびブリッジを含み得る。バス９２４は、プロセッサ９２２によって表される１つまたは複数のプロセッサおよび／またはモジュール（たとえば、ハードウェアモジュール）と、モジュール９０２、９０４、９０６と、コンピュータ可読媒体９２６とを含む様々なモジュール／回路を互いにリンクする。バス９２４はまた、タイミングソース、周辺機器、電圧調整器、および電力管理回路など、様々な他のモジュール／回路をリンクし得るが、これらのモジュール／回路は当技術分野においてよく知られており、したがって、これ以上説明しない。
【００６３】
[0070]本装置は、トランシーバ９３０に結合された処理システム９１４を含む。トランシーバ９３０は、１つまたは複数のアンテナ９２０に結合される。トランシーバ９３０は、伝送媒体を介して様々な他の装置と通信することを可能にする。処理システム９１４は、コンピュータ可読媒体９２６に結合されたプロセッサ９２２を含む。プロセッサ９２２は、コンピュータ可読媒体９２６に記憶されたソフトウェアの実行を含む一般的な処理を担当する。ソフトウェアは、プロセッサ９２２によって実行されたとき、処理システム９１４に、いずれかの特定の装置について説明する様々な機能を実行させる。コンピュータ可読媒体９２６はまた、ソフトウェアを実行するときにプロセッサ９２２によって操作されるデータを記憶するために使用され得る。
【００６４】
[0071]処理システム９１４は、アクティブ化パラメータを受信するための受信モジュール９０２を含む。処理システム９１４はまた、アクティブ化パラメータに少なくとも部分的に基づいてアクティブＵＥを検出するための検出モジュール９０４を含む。処理システム９１４は、アクティブＵＥが検出された後にアクティブ化シーケンスを開始するためのアクティブ化モジュール９０６をさらに含み得る。それらのモジュールは、プロセッサ９２２中で動作し、コンピュータ可読媒体９２６中に常駐する／記憶された、ソフトウェアモジュールであるか、プロセッサ９２２に結合された１つまたは複数のハードウェアモジュールであるか、またはそれらの何らかの組合せであり得る。一構成では、ＵＥと小型セルとの間の通信が考慮される場合、処理システム９１４は、ｅノードＢ６１０の構成要素であり得、メモリ６７６、および／またはコントローラ／プロセッサ６７５を含み得る。別の構成では、小型セルとｅノードＢとの間の通信が考慮される場合、処理システム９１４は、ＵＥ６５０の構成要素であり得、メモリ６６０、および／またはコントローラ／プロセッサ６５９を含み得る。
【００６５】
[0072]さらに、本明細書の開示に関して説明した様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００６６】
[0073]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６７】
[0074]本明細書の開示に関して説明した方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００６８】
[0075] １つまたは複数の例示的な設計では、説明した機能は、ハードウェア、ソフトウェア、またはそれらの組合せで実装され得る。ソフトウェアで実装される場合、機能は、１つまたは複数の命令またはコードとして符号化され、コンピュータ可読媒体上に記憶されるか、あるいは１つまたは複数の命令またはコードとしてコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００６９】
[0076]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
低電力ノードにおいてアクティブ化パラメータを受信することと、
前記アクティブ化パラメータに少なくとも部分的に基づいてアクティブユーザ機器（ＵＥ）の近接を検出することと、前記アクティブ化パラメータが、前記低電力ノードとは異なるノードからトリガされる、
前記アクティブＵＥを検出することの後にアクティブ化シーケンスを開始することとを備える、ワイヤレス通信の方法。
［Ｃ２］
前記アクティブＵＥが検出されたときにアクティブ化要求を送信することと、
前記アクティブ化要求に応答してアクティブ化許可を受信することと、前記アクティブ化許可が、前記アクティブ化シーケンスを前記開始することより前に受信される、をさらに備える、Ｃ１に記載の方法。
［Ｃ３］
前記アクティブ化パラメータが、物理ランダムアクセスチャネル（ＰＲＡＣＨ）シグネチャシーケンス空間、時間リソース、周波数リソース、またはそれらの組合せを示す、Ｃ１に記載の方法。
［Ｃ４］
前記アクティブ化パラメータが、サービングセルＰＲＡＣＨ構成、ネイバーセルＰＲＡＣＨ構成、またはそれらの組合せに少なくとも部分的に基づく、Ｃ３に記載の方法。
［Ｃ５］
前記ＰＲＡＣＨシグネチャシーケンスがＰＲＡＣＨプロシージャをトリガしない、Ｃ３に記載の方法。
［Ｃ６］
前記ＵＥの前記近接を検出することが、
物理ランダムアクセスチャネル（ＰＲＡＣＨ）送信、または
逆方向ハンドオーバプロシージャの動的または周期的トリガリングの後に行われる、Ｃ１に記載の方法。
［Ｃ７］
前記ＵＥの前記近接を検出することが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に少なくとも部分的に基づく、Ｃ６に記載の方法。
［Ｃ８］
メモリと、
前記メモリに結合された少なくとも１つのプロセッサとを備える、ワイヤレス通信のための装置であって、前記少なくとも１つのプロセッサが、
低電力ノードにおいてアクティブ化パラメータを受信することと、
前記アクティブ化パラメータに少なくとも部分的に基づいてアクティブユーザ機器（ＵＥ）の近接を検出することと、前記アクティブ化パラメータが、前記低電力ノードとは異なるノードからトリガされる、
前記アクティブＵＥを検出することの後にアクティブ化シーケンスを開始することと
を行うように構成された、装置。
［Ｃ９］
前記少なくとも１つのプロセッサが、
前記アクティブＵＥが検出されたときにアクティブ化要求を送信することと、
前記アクティブ化要求に応答してアクティブ化許可を受信することと、前記アクティブ化許可が、前記アクティブ化シーケンスを前記開始することより前に受信される、を行うようにさらに構成された、Ｃ８に記載の装置。
［Ｃ１０］
前記アクティブ化パラメータが、物理ランダムアクセスチャネル（ＰＲＡＣＨ）シグネチャシーケンス空間、時間リソース、周波数リソース、またはそれらの組合せを示す、Ｃ８に記載の装置。
［Ｃ１１］
前記アクティブ化パラメータが、サービングセルＰＲＡＣＨ構成、ネイバーセルＰＲＡＣＨ構成、またはそれらの組合せに少なくとも部分的に基づく、Ｃ１０に記載の装置。
［Ｃ１２］
前記ＰＲＡＣＨシグネチャシーケンスがＰＲＡＣＨプロシージャをトリガしない、Ｃ１０に記載の装置。
［Ｃ１３］
前記少なくとも１つのプロセッサが、
物理ランダムアクセスチャネル（ＰＲＡＣＨ）送信、または
逆方向ハンドオーバプロシージャの動的または周期的トリガリングの後に前記ＵＥの前記近接を検出するようにさらに構成された、Ｃ８に記載の装置。
［Ｃ１４］
前記少なくとも１つのプロセッサが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に少なくとも部分的に基づいて、前記ＵＥの前記近接を検出するようにさらに構成された、Ｃ１３に記載の装置。
［Ｃ１５］
低電力ノードにおいてアクティブ化パラメータを受信するための手段と、
前記アクティブ化パラメータに少なくとも部分的に基づいてアクティブユーザ機器（ＵＥ）の近接を検出するための手段と、前記アクティブ化パラメータが、前記低電力ノードとは異なるノードからトリガされる、
前記アクティブＵＥを検出することの後にアクティブ化シーケンスを開始するための手段とを備える、ワイヤレス通信のための装置。
［Ｃ１６］
前記アクティブＵＥが検出されたときにアクティブ化要求を送信するための手段と、
前記アクティブ化要求に応答してアクティブ化許可を受信するための手段と、前記アクティブ化許可が、前記アクティブ化シーケンスを前記開始することより前に受信される、をさらに備える、Ｃ１５に記載の装置。
［Ｃ１７］
前記アクティブ化パラメータが、物理ランダムアクセスチャネル（ＰＲＡＣＨ）シグネチャシーケンス空間、時間リソース、周波数リソース、またはそれらの組合せを示す、Ｃ１５に記載の装置。
［Ｃ１８］
前記アクティブ化パラメータが、サービングセルＰＲＡＣＨ構成、ネイバーセルＰＲＡＣＨ構成、またはそれらの組合せに少なくとも部分的に基づく、Ｃ１７に記載の装置。
［Ｃ１９］
前記ＰＲＡＣＨシグネチャシーケンスがＰＲＡＣＨプロシージャをトリガしない、Ｃ１７に記載の装置。
［Ｃ２０］
前記ＵＥの前記近接を検出することが、
物理ランダムアクセスチャネル（ＰＲＡＣＨ）送信、または
逆方向ハンドオーバプロシージャの動的または周期的トリガリングの後に行われる、Ｃ１５に記載の装置。
［Ｃ２１］
前記ＵＥの前記近接を検出することが、ドナーｅノードＢへのアップリンク送信のための第１のキャリア周波数、または前記低電力ノードへのアクセスリンク上でのアップリンク送信のための第２のキャリア周波数上での前記ＰＲＡＣＨ送信に少なくとも部分的に基づく、Ｃ２０に記載の装置。
［Ｃ２２］
ワイヤレス通信のためのコンピュータプログラム製品であって、前記コンピュータプログラム製品が、
プログラムコードを記録した非一時的コンピュータ可読媒体を備え、前記プログラムコードが、
低電力ノードにおいてアクティブ化パラメータを受信するためのプログラムコードと、
前記アクティブ化パラメータに少なくとも部分的に基づいてアクティブユーザ機器（ＵＥ）の近接を検出するためのプログラムコードと、前記アクティブ化パラメータが、前記低電力ノードとは異なるノードからトリガされる、
前記アクティブＵＥを検出することの後にアクティブ化シーケンスを開始するためのプログラムコードと
を備える、コンピュータプログラム製品。
［Ｃ２３］
前記プログラムコードは、
前記アクティブＵＥが検出されたときにアクティブ化要求を送信するためのプログラムコードと、
前記アクティブ化要求に応答してアクティブ化許可を受信するためのプログラムコードと、前記アクティブ化許可が、前記アクティブ化シーケンスを前記開始することより前に受信される、をさらに備える、Ｃ２２に記載のコンピュータプログラム製品。
［Ｃ２４］
前記アクティブ化パラメータが、物理ランダムアクセスチャネル（ＰＲＡＣＨ）シグネチャシーケンス空間、時間リソース、周波数リソース、またはそれらの組合せを示す、Ｃ２２に記載のコンピュータプログラム製品。
【図１】
0006336962.tif 000002
【図２】
0006336962.tif 000003
【図３】
0006336962.tif 000004
【図４】
0006336962.tif 000005
【図５】
0006336962.tif 000006
【図６】
0006336962.tif 000007
【図７】
0006336962.tif 000008
【図８】
0006336962.tif 000009
【図９】
0006336962.tif 000010